(57)【要約】【課題】変更情報を獲得したときに一度表示するだけであった。【解決手段】デジタル放送信号を受信し、受信したデジタル放送信号からネットワーク情報テーブルを取得するデジタル放送受信装置であって、上記ネットワーク情報テーブルにネットワークに関する変更情報が含まれている場合にネットワーク情報テーブルからこの変更情報を取得し、変更情報を取得する度に当該取得した変更情報を、所定の記録媒体に記録済みの過去に取得した変更情報を消去することなく当該記録媒体に追加して記録する変更情報記録手段と、ネットワークに関する変更情報の表示指示を受付ける表示指示受付手段と、上記表示指示受付手段によって上記表示指示が受付けられた場合に、上記記録媒体に記録されている複数の変更情報に基づいて当該複数の変更情報を所定の画面に表示する表示手段とを備える。【選択図】図２
2011010105.tif 000002
【特許請求の範囲】
【請求項１】
デジタル放送信号を受信し、受信したデジタル放送信号からネットワーク情報テーブルを取得するデジタル放送受信装置であって、
上記ネットワーク情報テーブルにネットワークに関する変更情報が含まれている場合にネットワーク情報テーブルからこの変更情報を取得し、変更情報を取得する度に当該取得した変更情報を、所定の記録媒体に記録済みの過去に取得した変更情報を消去することなく当該記録媒体に追加して記録する変更情報記録手段と、
ネットワークに関する変更情報の表示指示を受付ける表示指示受付手段と、
上記表示指示受付手段によって上記表示指示が受付けられた場合に、上記記録媒体に記録されている複数の変更情報に基づいて当該複数の変更情報を所定の画面に表示する表示手段とを備えることを特徴とするデジタル放送受信装置。
【請求項２】
上記変更情報記録手段は、上記変更情報として少なくとも、上記ネットワーク情報テーブルに含まれているネットワークの変更を通知する記述子から変更開始時間の情報と変更作業期間の情報と変更タイプの情報とを抽出するとともに、上記ネットワーク情報テーブルに含まれているメッセージを通知するための記述子からネットワークの変更に関するメッセージを抽出し、当該抽出した各情報およびメッセージを上記記録媒体に記録することを特徴とする請求項１に記載のデジタル放送受信装置。
【請求項３】
上記表示手段は、上記変更開始時間の情報と変更作業期間の情報と変更タイプの情報とネットワークの変更に関するメッセージとの組み合わせからなる各変更情報を、一つの画面内に時系列に並べて一覧表示することを特徴とする請求項２に記載のデジタル放送受信装置。
【請求項４】
上記表示手段は、上記変更開始時間の情報と変更作業期間の情報と変更タイプの情報とネットワークの変更に関するメッセージとの組み合わせからなる各変更情報の中から表示対象となる変更情報を選択させるための選択欄を上記画面に表示し、当該選択欄を介して選択された変更情報を上記画面に表示することを特徴とする請求項２に記載のデジタル放送受信装置。
【請求項５】
デジタル放送信号を受信し、受信したデジタル放送信号からネットワーク情報テーブルを取得するデジタル放送受信装置であって、
上記ネットワーク情報テーブルにネットワークの変更を通知する記述子およびメッセージを通知するための記述子が含まれている場合に、ネットワークに関する変更情報として、当該ネットワークの変更を通知する記述子から変更開始時間の情報と変更作業期間の情報と変更タイプの情報と上記メッセージを通知するための記述子との関連付けをするためのメッセージＩＤとを抽出するとともに当該メッセージＩＤに関連付けられた上記メッセージを通知するための記述子からネットワークの変更に関するメッセージを抽出し、変更情報を抽出する度に当該抽出した変更開始時間の情報と変更作業期間の情報と変更タイプの情報とネットワークの変更に関するメッセージとの組み合わせからなる変更情報を、所定の記録媒体に記録済みの過去に取得した変更情報を消去することなく当該記録媒体に追加して記録する変更情報記録手段と、
ネットワークに関する変更情報の表示指示を所定の画面のメニュー欄から受付ける表示指示受付手段と、
上記表示指示受付手段によって上記表示指示が受付けられた場合に、上記記録媒体に記録されている上記変更開始時間の情報と変更作業期間の情報と変更タイプの情報とネットワークの変更に関するメッセージとの組み合わせからなる各変更情報に対して時系列に沿って付与した番号の一覧を上記画面に表示し、当該表示した番号の中から画面上で選択された番号に対応する変更情報を上記画面に表示する表示手段とを備えることを特徴とするデジタル放送受信装置。
【発明の詳細な説明】
【技術分野】
【０００１】
本発明は、デジタル放送受信装置に関する。
【背景技術】
【０００２】
デジタル放送信号を受信し、受信したデジタル放送信号からネットワーク情報テーブル（ＮＩＴ：Network Information Table）を取得するデジタル放送受信装置として、常に受信しているＥＰＧやデジタル放送におけるＮＩＴ等の放送局情報等を参照して放送サービスの数が減少したと判断した場合には、放送サービスグループテーブルと、取得できたＥＰＧや放送局情報とを比較することにより、存在しなくなった放送サービスや新規追加された放送サービスを検出し、その場合には、放送サービスグループリストから存在しなくなった放送サービスを削除したり、新規追加になった放送サービスをリストに追加する放送受信装置が知られている（特許文献１参照。）。
【０００３】
また、ネットワークから周期的に送信されるＮＩＴを取得し、ＮＩＴに含まれているサービス変更情報（現在より後に追加、削除、または変更される他のネットワークのサービスに関する情報と、追加、削除または変更が有効となる有効時刻に関する情報）と、サービス変更情報テーブルとを比較し、新たに追加されているサービス変更情報があれば、サービス変更情報テーブルにその情報を追加するデジタル放送受信機が知られている（特許文献２参照。）。
【先行技術文献】
【特許文献】
【０００４】
【特許文献１】特開２００８‐２２０４７号公報
【特許文献２】特開２００１‐２０３９４８号公報
【発明の概要】
【発明が解決しようとする課題】
【０００５】
デジタル放送の規格においては、ネットワークに関する変更が行われることを事前に通知する変更情報が、放送の一部に含まれて不定期に受信装置に送られてくる。ここで言うネットワークの変更とは、例えば、放送に用いる周波数帯の変更や、サービス内容の変更や、マルチプレックスの追加・削除等を言う。従来は、このような変更情報が放送局側から送られてきた場合、受信装置では獲得した変更情報をテレビ画面に一度表示してユーザに変更情報の内容を知らせていた。これまでは、このように獲得した変更情報を、獲得したときに一度表示するだけであったため、例えば、過去に獲得した複数の変更情報をまとめて見たいといったユーザの要望に応えることができなかった。
【０００６】
本発明は上記課題に鑑みてなされたもので、過去に獲得したネットワークに関する変更情報も含めて複数の変更情報を確認することが可能なデジタル放送受信装置を提供することを目的とする。
【課題を解決するための手段】
【０００７】
上記目的を達成するため、本発明は、デジタル放送信号を受信し、受信したデジタル放送信号からＮＩＴを取得するデジタル放送受信装置であって、上記ＮＩＴにネットワークに関する変更情報が含まれている場合にＮＩＴからこの変更情報を取得し、変更情報を取得する度に当該取得した変更情報を、所定の記録媒体に記録済みの過去に取得した変更情報を消去することなく当該記録媒体に追加して記録する変更情報記録手段と、ネットワークに関する変更情報の表示指示を受付ける表示指示受付手段と、上記表示指示受付手段によって上記表示指示が受付けられた場合に、上記記録媒体に記録されている複数の変更情報に基づいて当該複数の変更情報を所定の画面に表示する表示手段とを備える構成としてある。
本発明によれば、ユーザによる上記表示指示を受付けたときに受信装置の画面に上記記録媒体に記録されている複数の変更情報が表示されるため、ユーザは、過去に獲得されたネットワークに関する変更情報も含めて複数の変更情報を確認することができる。
【０００８】
上記変更情報記録手段は、上記変更情報として少なくとも、上記ＮＩＴに含まれているネットワークの変更を通知する記述子から変更開始時間の情報と変更作業期間の情報と変更タイプの情報とを抽出するとともに、上記ＮＩＴに含まれているメッセージを通知するための記述子からネットワークの変更に関するメッセージを抽出し、当該抽出した各情報およびメッセージを上記記録媒体に記録するとしてもよい。つまり、所定の規格にかかるデジタル放送では、ＮＩＴに上記のような記述子が含まれており、この記述子から必要な変更情報を得ることができる。
【０００９】
上記表示手段による複数の変更情報の表示態様は種々考えられ、一例として、表示手段は、上記変更開始時間の情報と変更作業期間の情報と変更タイプの情報とネットワークの変更に関するメッセージとの組み合わせからなる各変更情報を、一つの画面内に時系列に並べて一覧表示するとしてもよい。かかる構成とすれば、過去から直近にかけて獲得された複数の変更情報の内容をリスト形式で見渡すことができる。あるいは上記表示手段は、上記変更開始時間の情報と変更作業期間の情報と変更タイプの情報とネットワークの変更に関するメッセージとの組み合わせからなる各変更情報の中から表示対象となる変更情報を選択させるための選択欄を上記画面に表示し、当該選択欄を介して選択された変更情報を上記画面に表示するとしてもよい。当該構成とすれば、過去から直近にかけて獲得された複数の変更情報の中から内容を確認したい変更情報を任意に選択し、選択した変更情報の内容を確認することができる。
【００１０】
本発明の技術的思想は、デジタル放送受信装置以外によっても実現可能である。例えば、当該装置の各構成が実行する処理工程を備える方法の発明や、当該装置の各構成が実行する機能を、装置に実現させるコンピュータ読取可能なプログラムの発明をも把握可能である。さらには、デジタル放送信号を受信し、受信したデジタル放送信号からＮＩＴを取得するデジタル放送受信装置であって、上記ＮＩＴにネットワークの変更を通知する記述子およびメッセージを通知するための記述子が含まれている場合に、ネットワークに関する変更情報として、当該ネットワークの変更を通知する記述子から変更開始時間の情報と変更作業期間の情報と変更タイプの情報と上記メッセージを通知するための記述子との関連付けをするためのメッセージＩＤとを抽出するとともに当該メッセージＩＤに関連付けられた上記メッセージを通知するための記述子からネットワークの変更に関するメッセージを抽出し、変更情報を抽出する度に当該抽出した変更開始時間の情報と変更作業期間の情報と変更タイプの情報とネットワークの変更に関するメッセージとの組み合わせからなる変更情報を、所定の記録媒体に記録済みの過去に取得した変更情報を消去することなく当該記録媒体に追加して記録する変更情報記録手段と、ネットワークに関する変更情報の表示指示を所定の画面のメニュー欄から受付ける表示指示受付手段と、上記表示指示受付手段によって上記表示指示が受付けられた場合に、上記記録媒体に記録されている上記変更開始時間の情報と変更作業期間の情報と変更タイプの情報とネットワークの変更に関するメッセージとの組み合わせからなる各変更情報に対して時系列に沿って付与した番号の一覧を上記画面に表示し、当該表示した番号の中から画面上で選択された番号に対応する変更情報を上記画面に表示する表示手段とを備える構成も、一つの発明として把握することができる。
【図面の簡単な説明】
【００１１】
【図１】液晶テレビジョンの概略構成を示したブロック図である。
【図２】ネットワークの変更情報を示した画面の一例を示した図である。
【図３】ネットワークの変更情報を示した画面の他の例を示した図である。
【発明を実施するための形態】
【００１２】
以下、本発明の実施形態を図面を参照しながら説明する。
図１は、本実施形態にかかる液晶テレビジョン（液晶ＴＶ）１０の概略構成をブロック図により示している。液晶ＴＶ１０は、デジタル放送受信装置の一例に該当する。液晶ＴＶ１０は、概略、フロントエンド処理回路１１と、復号処理回路１２と、マイクロコンピュータ１３と、リアルタイムクロック（ＲＴＣ）１４と、液晶パネル１５と、リモートコントロールＩ／Ｆ１６と、液晶パネル駆動回路１７と、バックライト１９と、バックライト駆動回路２０とを含んで構成される。
【００１３】
バックライト１９は、液晶パネル１５の背面側に配置され、液晶パネル１５を背面側から照射する。バックライト駆動回路２０は、マイクロコンピュータ１３による制御の下、バックライト１９の点灯・消灯や、点灯時の輝度調整を行う。
フロントエンド処理回路１１は、アンテナ１１ａ等を介して放送信号を受信するチューナとして機能する。本実施形態では、フロントエンド処理回路１１は、指定されたチャンネルの周波数の電波として、所定規格のデジタル放送信号（例えば、欧州デジタル放送の規格によるデジタル放送信号）を受信するとともに、受信した放送信号を中間周波信号に周波数変換し、アナログ信号としての中間周波信号をデジタル信号に変換し、当該デジタル信号からトランスポートストリーム（ＴＳ）を抽出する。フロントエンド処理回路１１は、抽出したＴＳを復号処理回路１２に出力する。
【００１４】
フロントエンド処理回路１１が受信するデジタル放送信号は、地上波デジタル放送信号であってもよいし、衛星デジタル放送信号であってもよい。また、フロントエンド処理回路１１は、ＩＰ（Internet Protocol）ネットワークと接続することによりＩＰ放送にかかる信号を受信してＴＳを抽出してもよいし、デジタルケーブルテレビ（ＣＡＴＶ）放送をケーブルを介して受信し、受信したデジタルＣＡＴＶ放送からＴＳを抽出してもよい。
【００１５】
復号処理回路１２は、デスクランブル回路、デマルチプレックス回路、デコード回路、画像処理回路、ＯＳＤ（オンスクリーンディスプレイ）回路１２ａ等を備え、デスクランブル回路によってＴＳのスクランブルを解除する。スクランブルが解除されたＴＳは、複数のトランスポートパケットからなり、各トランスポートパケットには映像信号や音声信号やＳＩ（Service Information）等の各種データが格納されている。デマルチプレックス回路は、ユーザが指定するチャンネルにかかる映像信号および音声信号をＴＳから抽出する。
【００１６】
ＴＳから抽出された映像信号および音声信号は、ＭＰＥＧ規格に従って符号化（エンコード）された状態であり、デコード回路は映像信号および音声信号をＭＰＥＧ規格に従って復号化（デコード）する。画像処理回路は、デコードされた映像信号に対して、液晶パネル１５の画素数に応じたスケーリング処理、色補正処理、エッジ強調処理などの各種画像処理を実行し、１画面分の画像を表した映像信号を生成する。復号処理回路１２は、生成した映像信号を、ＯＳＤ回路１２ａを介して液晶パネル駆動回路１７に出力する。ＯＳＤ回路１２ａは、マイクロコンピュータ１３から入力される制御信号や文字情報等のデータに基づいて各種表示に対応するＯＳＤ信号を生成して、映像信号にＯＳＤ信号を重畳して、あるいはＯＳＤ信号のみを、液晶パネル駆動回路１７に出力することが可能である。
【００１７】
液晶パネル駆動回路１７は、復号処理回路１２から入力した映像信号（ＯＳＤ信号含む）を所定のフレームメモリに一時的に保存しつつ、当該保存した信号を所定のタイミングで液晶パネル１５に出力することにより、画素の配列により構成された液晶パネル１５の各画素を駆動して液晶パネル１５に映像信号に基づく画像を表示させる。
【００１８】
リモートコントロールＩ／Ｆ１６は、液晶ＴＶ１０外部のリモートコントローラ（図示せず）から発せられる、ユーザの操作に基づく各種指示（例えば、チャンネルの選局指示や、メニュー画面の表示指示等）の信号を受け付ける。マイクロコンピュータ１３は、リモートコントロールＩ／Ｆ１６を介して入力した指示信号に応じた処理や制御を行なう。図示は省略しているが、液晶ＴＶ１０は、上記デコードされた音声信号に基づく音声出力を行うための音声信号回路やスピーカ、液晶ＴＶ１０の各部に駆動用電源を供給するための電源回路など、ＴＶとしての一般的な各構成を備える。
【００１９】
このような構成において、液晶ＴＶ１０では、受信したデジタル放送信号にネットワークに関する変更情報が含まれている場合には、その都度、それら変更情報を取得し、所定の記録媒体に記録する。ここでは、マイクロコンピュータ１３による上記変更情報の取得、記録処理について説明する。マイクロコンピュータ１３は、復号処理回路１２に指示をすることにより、復号処理回路１２による上記処理の過程でＴＳから、ＳＩとしてのＮＩＴを取得させる。そして、当該ＮＩＴに、ネットワークの変更を通知する記述子およびメッセージを通知するための記述子が含まれている場合に、これら記述子（ディスクリプタ）から、ネットワークに関する所定の変更情報を抽出する。例えば、欧州デジタル放送の規格（ＥＴＳＩ  ＥＮ  ３００  ４６８参照）によれば、ＮＩＴに含まれる情報の一種として、ネットワークの変更を通知する記述子としてnetwork_change_notify_descriptorが規定され、メッセージを通知するための記述子としてmessage_descriptorが規定されている。
【００２０】
そこでマイクロコンピュータ１３は、network_change_notify_descriptorがＮＩＴから得られた場合、当該network_change_notify_descriptorから、start_time_of_changeと、change_durationと、change_typeと、message_idとを取得する。start_time_of_changeはネットワーク変更作業（変更処理）の開始時間を示す情報であり、change_durationは変更作業期間（変更作業に要する時間の長さ）を示す情報であり、change_typeは変更タイプを示す情報であり、message_idはmessage_descriptorとの関連付けをするためのＩＤであり、これらはいずれも上記欧州デジタル放送の規格において、network_change_notify_descriptorに含まれる情報として規定されている。change_typeは、ネットワーク変更作業の種類（例えば、放送に用いる周波数帯の変更や、サービス内容の変更や、マルチプレックスの追加・削除等）を表している。また、マイクロコンピュータ１３は、上記message_idと同一のmessage_idを有するmessage_descriptorから、text_char（メッセージ）を取得する。message_idおよびtext_charも、上記欧州デジタル放送の規格において、message_descriptorに含まれる情報として規定されている。text_charは、ネットワークの変更に関するメッセージ（ネットワークの変更作業に際して視聴者に通知すべきメッセージ）を表示するための文字列である。
【００２１】
マイクロコンピュータ１３は、上記のように各記述子から取得（抽出）したネットワークのある変更作業に関する、start_time_of_change、change_duration、change_typeおよびtext_char（メッセージ）からなる一組の変更情報を、所定のメモリ（記録媒体）１３ａに記録する。このときマイクロコンピュータ１３は、メモリ１３ａに記録済みの過去に取得した変更情報を消去することなく、新たに取得した変更情報をメモリ１３ａに追加記録する。このように  マイクロコンピュータ１３は、ＮＩＴにネットワークに関する変更情報が含まれている場合にＮＩＴからこの変更情報を取得し、変更情報を取得する度にメモリ１３ａに追加して記録する点で、変更情報記録手段として機能すると言える。
【００２２】
次に、ユーザの指示に応じて液晶ＴＶ１０が上記変更情報を画面表示する場合について説明する。ユーザは、リモートコントローラを操作することにより、液晶ＴＶ１０に対してネットワークに関する変更情報の表示を実行させることができる。つまりマイクロコンピュータ１３は、リモートコントロールＩ／Ｆ１６を介してリモートコントローラから所定のメニュー画面の表示指示を受けた場合に、当該所定のメニュー画面を液晶パネル１５に表示させ、このメニュー画面を表示した状態で、メニュー内の一項目として、ネットワークの変更情報の表示指示を受付けることができる。このように変更情報の表示指示を受付け可能な点で、液晶ＴＶ１０は表示指示受付手段を備えると言える。
【００２３】
この変更情報の表示指示を受付けた場合、マイクロコンピュータ１３は、その時点でメモリ１３ａに記録済みの変更情報に基づいてネットワークの変更情報を表示するための画像データを生成することをＯＳＤ回路１２ａに指示する。ＯＳＤ回路１２ａは当該指示をマイクロコンピュータ１３から受けたら、メモリ１３ａに記録されている変更情報に基づいて、これら変更情報を表示するための画像データ（ＯＳＤ信号）を生成し、生成したＯＳＤ信号を液晶パネル駆動回路１７に出力する。この結果、液晶パネル１５には、ネットワークの変更情報が表示される。つまり、液晶ＴＶ１０は、表示指示受付手段で変更情報の表示指示を受付けた場合に複数の変更情報を所定の画面に表示する表示手段として機能する。
【００２４】
図２は、液晶パネル１５に表示されるネットワークの変更情報を示した画面の一例である。図２においては、液晶パネル１５の画面に複数の変更情報が一覧表示されている。つまり、表示されている各々の変更情報は、start_time_of_change（変更開始時間）、change_duration（変更作業期間）、change_type（変更タイプ）およびメッセージから構成されており、各変更情報が時系列に沿って一覧表示されている。図２では、各変更情報に番号が１，２，３…と付されており、当該番号が若い変更情報ほど取得された時期（記録時期）が古いことを示している。つまりＯＳＤ回路１２ａは、メモリ１３ａに記録されている変更情報に基づいて、図２のような変更情報の一覧表示を表すＯＳＤ信号を生成し、液晶パネル駆動回路１７に出力する。なお、このように一覧表示されるネットワークの変更情報には、既に実行された変更作業を示すものや、これから実行される予定の変更作業を示すものが含まれる。
【００２５】
本実施形態におけるネットワークの変更情報の表示態様は、図２に示すものに限られない。図３は、液晶パネル１５に表示されるネットワークの変更情報を示した画面の他の例である。図３では、複数の変更情報の中から表示対象とする変更情報を選択させるための選択欄（番号１，２，３…）を画面に表示し、当該選択欄を介して任意に選択された変更情報を画面に表示する。つまり、画面内の上部エリアには、その時点でメモリ１３ａに記録されている変更情報の数に対応した番号が１，２，３…と表示されており、ユーザがリモートコントローラ等を操作してこの番号のうち一つを選択することをマイクロコンピュータ１３に指示することで、選択された番号（図３の例では番号“１”）に対応する変更情報（start_time_of_change（変更開始時間）、change_duration（変更作業期間）、change_type（変更タイプ）およびメッセージから構成される変更情報）が画面内の下部エリアに表示される。
【００２６】
図３の表示態様でも、各変更情報に対して時系列に沿って番号を付与しており、選択欄としての番号１，２，３…は、その数字が若いほど、対応する変更情報の取得された時期（記録時期）が古いことを示している。つまりＯＳＤ回路１２ａは、メモリ１３ａに記録されている変更情報に基づいて、図３に示したような変更情報の数に応じた選択欄およびそのとき選択されている一つの変更情報（ただしデフォルトでは、例えば、番号が最も若い変更情報）にかかる内容を表示するＯＳＤ信号を生成し、液晶パネル駆動回路１７に出力する。
【００２７】
このように本実施形態によれば、液晶ＴＶ１０では、受信したデジタル放送信号から取得したＮＩＴにネットワークの変更を通知する記述子（network_change_notify_descriptor）およびメッセージを通知するための記述子（message_descriptor）が含まれている場合に、ネットワークに関する変更情報として、network_change_notify_descriptorからstart_time_of_change（変更開始時間）、change_duration（変更作業期間）、change_type（変更タイプ）とを取得するとともに、message_descriptorからメッセージを取得し、このように変更情報を抽出する度に、当該取得したstart_time_of_change（変更開始時間）、change_duration（変更作業期間）、change_type（変更タイプ）およびメッセージの組み合わせからなる変更情報を、メモリ１３ａに記録済みの過去に取得した変更情報を消去することなく当該メモリ１３ａ記録媒体に追加して記録し、ユーザからネットワークの変更情報の表示指示があった場合には、メモリ１３ａに記録されている過去の変更情報も含めた複数の変更情報を画面に一覧表示するとした。このため、ネットワークの変更情報を受信機側で獲得したときに一度だけその変更情報を表示するという従来の構成では成しえなかった、過去に獲得した変更情報を含めた複数の変更情報をまとめてユーザに提供するという効果を実現できる。
【符号の説明】
【００２８】
１０…液晶テレビジョン、１１…フロントエンド処理回路、１２…復号処理回路、１２ａ…ＯＳＤ回路、１３…マイクロコンピュータ、１３ａ…メモリ、１４…リアルタイムクロック、１５…液晶パネル、１６…リモートコントロールＩ／Ｆ、１７…液晶パネル駆動回路、１９…バックライト、２０…バックライト駆動回路
【図１】
2011010105.tif 000003
【図２】
2011010105.tif 000004
【図３】
2011010105.tif 000005